(57)【要約】【課題】レンズバリア機構を備えたレンズユニットの構造の簡素化、部品点数の削減、小型化、低コスト化等を図る。【解決手段】レンズを保持するレンズ枠３０、レンズ枠を光軸方向に駆動するレンズ駆動機構４０、レンズ枠及びレンズ駆動機構を収容すると共にレンズの前方に開口部２２ａを画定する前壁部２２を含むケースＣ、開口部２２ａを開閉するレンズバリア機構６０を備え、レンズバリア機構６０は、開口部２２ａを開閉自在にケースの前壁部２２に支持されたバリア羽根６１、バリア羽根の前方において開口部６２ａを画定すると共にバリア羽根を覆うべくケースに固定された羽根カバー６２を含む。これによれば、バリア羽根はケースの前壁部に支持されているため、従来のようなバリア羽根を支持する専用のバリアベースが不要になり、構造の簡素化、部品点数の削減、低コスト化、小型化を達成できる。【選択図】図４
2009288258.tif 000002
【特許請求の範囲】
【請求項１】
レンズを保持するレンズ枠と、前記レンズ枠を光軸方向に駆動するレンズ駆動機構と、前記レンズ枠及びレンズ駆動機構を収容すると共にレンズの前方に開口部を画定する前壁部を含むケースと、前記開口部を開閉するレンズバリア機構を備え、
前記レンズバリア機構は、前記開口部を開閉自在に前記ケースの前壁部に支持されたバリア羽根と、前記バリア羽根の前方において開口部を画定すると共に前記バリア羽根を覆うべく前記ケースに固定された羽根カバーとを含む、
ことを特徴とするレンズユニット。
【請求項２】
前記レンズバリア機構は、前記ケースに収容されて前記バリア羽根を開閉駆動するバリア駆動源を含む、
ことを特徴とする請求項１に記載のレンズユニット。
【請求項３】
前記レンズ駆動機構は、前記レンズ枠を光軸方向に往復動させる駆動力を発生するレンズ駆動源と、前記レンズ枠の光軸方向における位置を検出する検出センサとを含む、
ことを特徴とする請求項２に記載のレンズユニット。
【請求項４】
前記バリア駆動源、前記レンズ駆動源、及び前記検出センサを電気的に接続する共通の配線基板を含む、
ことを特徴とする請求項３に記載のレンズユニット。
【発明の詳細な説明】
【技術分野】
【０００１】
本発明は、レンズの前方を開閉し得るレンズバリア機構を備えたレンズユニットに関し、特に、携帯電話機、携帯情報端末機等に搭載されるモバイルカメラ等に適用されるレンズバリア機構を備えたレンズユニットに関する。
【背景技術】
【０００２】
レンズバリア機構を備えた従来のレンズユニットとしては、光軸方向に移動自在なレンズ筒（直進筒）、レンズ筒の前方に固定されて開口部を有する専用のバリアベース、バリアベースに隣接して設けられた回転リング、バリアベースに回動自在に支持され回転リングにより駆動されて開口部を開閉するバリア羽根、バリア羽根の前方を覆うべくバリアベースに固定された羽根カバー等により構成されるレンズバリア機構を備え、レンズ筒の沈胴動作に連動して回転リングを一方向に回転させることによりバリア羽根に閉じ動作を行わせ、一方、レンズ筒の繰り出し動作に連動して回転リングを他方向に回転させることによりバリア羽根に開き動作を行わせるようにしたものが知られている（例えば、特許文献１、特許文献２）。
【０００３】
しかしながら、これらのレンズユニットにおいては、レンズ筒（直進筒）とは別個に専用のバリアベースを設け、このバリアベースでバリア羽根を支持すると共に回転リングを保持し、又、バリアベースに対して羽根カバーを組み付けた構成となっており、部品点数が多く、構造が複雑で、小型化が困難であり、携帯電話機等に搭載されるモバイルカメラ用のバリア羽根を備えたレンズユニットとして適用するのは困難であった。
【０００４】
【特許文献１】特開平８−２３４２９２号公報
【特許文献２】特開２００５−２１５０８１号公報
【発明の開示】
【発明が解決しようとする課題】
【０００５】
本発明は、上記の事情に鑑みて成されたものであり、その目的とするところは、構造の簡素化、部品点数の削減、低コスト化、小型化等を図りつつ、携帯電話機、携帯型情報端末機等に搭載されるモバイルカメラ等に適したレンズバリア機構を備えたレンズユニットを提供することにある。
【課題を解決するための手段】
【０００６】
本発明のレンズユニットは、レンズを保持するレンズ枠と、レンズ枠を光軸方向に駆動するレンズ駆動機構と、レンズ枠及びレンズ駆動機構を収容すると共にレンズの前方に開口部を画定する前壁部を含むケースと、開口部を開閉するレンズバリア機構を備え、上記レンズバリア機構は、開口部を開閉自在にケースの前壁部に支持されたバリア羽根と、バリア羽根の前方において開口部を画定すると共にバリア羽根を覆うべくケースに固定された羽根カバーとを含む、ことを特徴としている。
この構成によれば、レンズ枠はレンズ駆動機構によりケース内において光軸方向に駆動され、レンズバリア機構のバリア羽根は、（例えば、手動操作又は駆動源等の駆動力により）ケースの前壁部に支持されて開口部を開閉する。ここで、レンズバリア機構のバリア羽根は、レンズ枠及びレンズ駆動機構を収容するケースの前壁部に支持されているため、従来のようなバリア羽根を支持する専用のバリアベースが不要になり、構造の簡素化、部品点数の削減、低コスト化、小型化を達成することができる。
【０００７】
上記構成において、レンズバリア機構は、ケースに収容されてバリア羽根を開閉駆動するバリア駆動源を含む、構成を採用することができる。
この構成によれば、バリア羽根は、ケースに収容されたバリア駆動源により、開口部を全開及び全閉するように駆動される。
【０００８】
上記構成において、レンズ駆動機構は、レンズ枠を光軸方向に往復動させる駆動力を発生するレンズ駆動源と、レンズ枠の光軸方向における位置を検出する検出センサとを含む、構成を採用することができる。
この構成によれば、レンズ枠は、レンズ駆動源により光軸方向の所定位置に移動させられて合焦動作（又は変倍動作）が行われると共に、検出センサによりその所定位置（例えば、制御の基準となる初期位置）が検出される。
【０００９】
上記構成において、バリア駆動源、レンズ駆動源、及び検出センサを電気的に接続する共通の配線基板を含む、構成を採用することができる。
この構成によれば、バリア駆動源、レンズ駆動源、及び検出センサが共通の配線基板に対して電気的に接続されているため、それぞれに専用の配線基板を設ける場合に比べて、構造の簡素化、部品点数の削減、小型化等を達成することができる。
【発明の効果】
【００１０】
上記構成をなすレンズユニットによれば、構造の簡素化、部品点数の削減、低コスト化、小型化等を達成しつつ、携帯電話機、携帯型情報端末機等に搭載されるモバイルカメラ等に適したレンズバリア機構を備えたレンズユニットを得ることができる。
【発明を実施するための最良の形態】
【００１１】
以下、本発明の最良の実施形態について、添付図面を参照しつつ説明する。図１ないし図５は、本発明に係るレンズユニットを含むカメラ装置の一実施形態を示すものであり、図１はカメラ装置の平面図、図２はレンズバリア機構に含まれる羽根カバーを取り外した状態におけるカメラ装置の平面図、図３はカメラ装置の内部を示す平面図、図４及び図５はカメラ装置の側断面図である。
【００１２】
このカメラ装置は、図１ないし図５に示すように、ケースＣを画定するベース１０及びカバー２０、ケースＣに収容されると共にレンズＧを保持するレンズ枠３０、レンズ枠３０を光軸方向Ｌに駆動するべくケースＣ内に収容されるレンズ駆動機構４０、ケースＣの後方に配置されたガラスフィルタ５１及びＣＣＤ等の撮像素子５２、レンズＧの前方を開閉するレンズバリア機構６０、ケースＣの側壁部の内側及び外側に沿うように設けられた配線基板７０等を備えている。
ここでは、ガラスフィルタ５１及び撮像素子５２を除いた他の構成部品、すなわち、ベース１０、カバー２０、レンズ枠３０、レンズ駆動機構４０、レンズバリア機構６０、配線基板７０により、レンズユニットが構成されている。
【００１３】
ベース１０は、図４及び図５に示すように、略矩形の外輪郭を画定するように形成され、その外縁領域においてカバー２０を連結する連結部１１、ガラスフィルタ５１を固定する略矩形の開口凹部１２、撮像素子５２を固定する略矩形の開口凹部１３、レンズ駆動機構４０に含まれる駆動モータ４１を固定する固定部１４、レンズ駆動機構４０に含まれるリードスクリュー４３の一端部を回動自在に支持する軸受孔１５、レンズ駆動機構４０に含まれるガイドシャフト４５及び回り止めシャフト４６の一端部をそれぞれ嵌合する嵌合孔１６，１７、レンズ駆動機構４０に含まれるコイルバネ４７の一端部を掛止する掛止片１８、レンズ駆動機構４０に含まれる検出センサ４８を固定する固定部１９等を備えている。
【００１４】
カバー２０は、図２ないし図５に示すように、ベース１０の連結部１１に嵌合により連結される嵌合部２１ａを画定する側壁部２１、円形の開口部２２ａを画定する前壁部２２、レンズ駆動機構４０に含まれるリードスクリュー４３の他端部を回動自在に支持する軸受穴２３、レンズ駆動機構４０に含まれるガイドシャフト４５及び回り止めシャフト４６の他端部をそれぞれ嵌合する嵌合孔２４，２５等を備えている。
側壁部２１には、図３及び図４に示すように、レンズ駆動機構４０に含まれる駆動モータ４１の端子４１ｂを露出させる切り欠き部２１ｂ、配線基板７０を通す切り欠き部２１ｃ等が形成されている。
前壁部２２には、図２、図４、図５に示すように、レンズバリア機構６０に含まれるバリア羽根６１を揺動自在に支持するべく光軸方向Ｌの前方に向けて突出する支軸２２ｂ、レンズバリア機構６０に含まれる羽根カバー６２を固定するべくその外縁部に形成された段差部２２ｃ、ネジＢを捩じ込むネジ穴を画定するボス部２２ｄ、位置決めピン２２ｅ等が形成されている。
【００１５】
レンズ枠３０は、図３ないし図５に示すように、レンズＧを保持する円筒部３１、円筒部３１から径方向に延出した延出部３２、延出部３２に形成されてガイドシャフト４５が摺動自在に連結される連結部３３、連結部３３の近傍に形成されてレンズ駆動機構４０に含まれるナット４４を回転不能に保持するナット保持部３４、連結部３３の近傍において延出部３２に形成されてコイルバネ４７の他端部を形成する掛止片３５、円筒部３１（レンズＧ）を挟んで連結部３３と反対側において延出部３２に形成されて回り止めシャフト４６が摺動自在に連結される略Ｕ字状の連結部３６、連結部３３の近傍に形成されてレンズ駆動機構４０に含まれる検出センサ４８により検出され得る被検出片３７等を備えている。
【００１６】
レンズ駆動機構４０は、図３ないし図５に示すように、レンズ駆動源としての駆動モータ４１、駆動歯車４２、被動歯車４３ａを一体的に備えたリードスクリュー４３、レンズ枠３０に保持されると共にリードスクリュー４３に螺合するナット４４、レンズ枠３０を光軸方向Ｌにガイドするガイドシャフト４５、レンズ枠３０が光軸回りに回転するのを規制する回り止めシャフト４６、レンズ枠３０を光軸方向Ｌの一方向に付勢するコイルバネ４７、レンズ枠３０の光軸方向Ｌにおける位置を検出する検出センサ４８等により構成されている。
【００１７】
駆動モータ４１は、回転軸４１ａ及び端子４１ｂを含むステッピングモータであり、端子４１ｂが側壁部２１の切り欠き部２１ｂから外部に露出するように配置された状態で、ベース１０の固定部１４に固定されている。
駆動歯車４２は、駆動モータ４１の回転軸４１ａに固着されている。
リードスクリュー４３は、その一端部がベース１０の軸受孔１５に嵌合されかつその他端部がカバー２０の軸受穴２３に嵌合されて、光軸方向Ｌに平行な軸線回りに回動自在に支持されている。
ナット４４は、リードスクリュー４３に螺合した状態で、レンズ枠３０のナット保持部３４に回転不能に保持されている。
ガイドシャフト４５は、レンズ枠３０の連結部３３に摺動自在に通されると共に、その一端部がベース１０の嵌合孔１６に嵌合されかつその他端部がカバー２０の嵌合孔２４に嵌合されて、レンズ枠３０を光軸方向Ｌにガイドするように形成されている。
回り止めシャフト４６は、レンズ枠３０の連結部３６に摺動自在に通されると共に、その一端部がベース１０の嵌合孔１７に嵌合されかつその他端部がカバー２０の嵌合孔２５に嵌合されて、レンズ枠３０が光軸回りに回転するのを規制しつつ光軸方向Ｌにガイドするように形成されている。
コイルバネ４７は、その一端部がベース１０の掛止片１８に掛止されかつその他端部がレンズ枠３０の掛止片３５に掛止されて、レンズ枠３０を光軸方向Ｌの後方に向けて付勢する付勢力を及ぼすように形成されている。
検出センサ４８は、投光素子及び受光素子を含む透過型の光センサであり、図３及び図４に示すように、レンズ枠３０の被検出片３７が介在して光を遮るか否かにより、レンズ枠３０の初期位置を検出するように形成されている。
【００１８】
すなわち、レンズ駆動機構４０は、駆動モータ４１が一方向に回転することで、駆動歯車４２→被動歯車４３ａ→リードスクリュー４３→ナット４４を介して、コイルバネ４７の付勢力に抗しつつ、レンズ枠３０を光軸方向Ｌの前方に向けて移動させ、一方、駆動モータ４１が他方向に回転することで、駆動歯車４２→被動歯車４３ａ→リードスクリュー４３→ナット４４を介して、コイルバネ４７の付勢力により付勢されつつ、レンズ枠３０を光軸方向Ｌの後方に向けて移動させるようになっている。また、検出センサ４８により、レンズ枠３０の被検出片３７を検出することで、レンズ枠３０の初期位置を検出し、この検出情報を基準として、駆動モータ４１の回転方向及び回転量を適宜制御して合焦動作（又は変倍動作）を行うべく、レンズ枠３０を光軸方向Ｌの所定位置に位置決め制御するようになっている。
【００１９】
レンズバリア機構６０は、図１、図２、図４、図５に示すように、ケースＣを構成するカバー２０の前壁部２２に支持されたバリア羽根６１、バリア羽根６１を覆うべくケースＣを構成するカバー２０に固定された羽根カバー６２等により構成されている。
【００２０】
バリア羽根６１は、図１、図２、図４に示すように、前壁部２２から突出する支軸２２ｂが嵌合される円孔６１ａ、操作者が掴んで開口部２２ａを開閉する操作を行うための操作部６１ｂ等を備えている。
円孔６１ａは、支軸２２ｂが嵌合された状態で、バリア羽根６１が振動等で容易に回転することなく、操作者が操作部６１ｂを掴んで回転させた分だけ回転するように、適度な締め代をもつ寸法に形成されている。
羽根カバー６２は、図１、図４、図５に示すように、前壁部２２の開口部２２ａと同軸上に形成された円形の開口部６２ａ、前壁部２２の支軸２２ｂを通す円孔６２ｂ、前壁部２２のボス部２２ｄに対応する位置に形成されてネジＢを通す円孔６２ｃ、前壁部２２の位置決めピン２２ｅを嵌合させる嵌合孔６２ｄ、バリア羽根６１の操作部６１ｂを外部に突出させるための切り欠き部６２ｅ、前壁部２２の段差部２２ｃに嵌合されて連結される嵌合部６２ｆ等を備えている。
【００２１】
このように、レンズバリア機構６０は、図１、図２、図４に示すように、開口部２２ａを開閉自在にケースＣの前壁部２２に支持されたバリア羽根６１、バリア羽根６１の前方において開口部６２ａを画定すると共にバリア羽根６１を覆うべくケースＣの前壁部２２に固定された羽根カバー６２により構成され、バリア羽根６１は、レンズ枠３０及びレンズ駆動機構４０を収容するケースＣ（ベース１０及びカバー２０）の前壁部２２に支持されているため、従来のようなバリア羽根を支持する専用のバリアベースが不要になり、構造の簡素化、部品点数の削減、低コスト化、小型化を達成することができる。
【００２２】
配線基板７０は、図３に示すように、側壁部２１の切り欠き部２１ｃを通してケースＣの内側及び外側に沿うように配置された屈曲自在なフレキシブル配線基板であり、駆動モータ４１の端子４１ｂ及び検出センサ４８の端子４８ａとそれぞれ電気的に接続されるように形成されている。
このように、レンズ駆動源としての駆動モータ４１及び検出センサ４８が共通の配線基板７０に対して電気的に接続されているため、それぞれに専用の配線基板を設ける場合に比べて、構造の簡素化、部品点数の削減、小型化等を達成することができる。
【００２３】
次に、この装置の動作について簡単に説明する。
このカメラ装置は、不使用の状態で、バリア羽根６１は開口部２２ａを閉じた閉鎖位置に位置付けられているため、先ず、操作者により、バリア羽根６１が、開口部２２ａを全開する全開位置に移動させられる。
また、不使用のとき、レンズ枠３０は、光軸方向Ｌの後方に後退した初期位置（休止位置）にあり、検出センサ４８により、レンズ枠３０が初期位置すなわち制御開始の基準位置にあることが検出される。
そして、この初期位置にある状態から、駆動モータ４１により駆動歯車４２及び被動歯車４３ａを介してリードスクリュー４３が回転させられると、ナット４４と一緒にレンズ枠３０が光軸方向Ｌに移動し、合焦動作（又は変倍動作）が行われる。その後、適宜、所定のボタン（不図示）が操作されて、レリーズ動作、撮影動作が行われる。
一方、撮影終了後は、逆の手順を辿って、操作者により、バリア羽根６１は、開口部２２ａを閉鎖する閉鎖位置に移動させられる。
【００２４】
図６ないし図９は、本発明に係るレンズユニットを含むカメラ装置の他の実施形態を示すものであり、レンズバリア機構として駆動機構を追加し、それに応じてケースＣを構成するカバー及び羽根カバーを変更した以外は、前述の実施形態と基本的に同一の構成であり、同一の構成については同一の符号を付して説明を省略する。
【００２５】
すなわち、この実施形態におけるカメラ装置は、ケースＣを画定するベース１０及びカバー２０´、レンズ枠３０、レンズ駆動機構４０、ガラスフィルタ５１及びＣＣＤ等の撮像素子５２、レンズＧの前方を開閉するレンズバリア機構６０´、ケースＣの側壁部の内側及び外側に沿うように設けられた配線基板７０´等を備えている。
この実施形態においては、ガラスフィルタ５１及び撮像素子５２を除いた他の構成部品、すなわち、ベース１０、カバー２０´、レンズ枠３０、レンズ駆動機構４０、レンズバリア機構６０´、配線基板７０´により、レンズユニットが構成されている。
【００２６】
カバー２０´は、図７ないし図９に示すように、嵌合部２１ａを画定する側壁部２１、円形の開口部２２ａを画定する前壁部２２、軸受穴２３、嵌合孔２４，２５、後述する駆動機構６３を収容する凹部２６等を備えている。
前壁部２２には、支軸２２ｂ、段差部２２ｃ、ボス部２２ｄ、位置決めピン２２ｅ等が形成されている。
【００２７】
レンズバリア機構６０´は、図６ないし図９に示すように、ケースＣを構成するカバー２０´の前壁部２２に支持されたバリア羽根６１´、バリア羽根６１´を覆うべくケースＣを構成するカバー２０´に固定された羽根カバー６２´、バリア羽根６１´を開閉駆動する駆動機構６３等により構成されている。
バリア羽根６１´は、図７、図９に示すように、前壁部２２から突出する支軸２２ｂが嵌合される円孔６１ａ、後述する駆動機構６３のナット６３ｃに連結される連結ピン６１ｂ´等を備えている。
羽根カバー６２´は、図６、図９に示すように、円形の開口部６２ａ、支軸２２ｂを通す円孔６２ｂ、ネジＢを通す円孔６２ｃ、位置決めピン２２ｅを嵌合させる嵌合孔６２ｄ、段差部２２ｃに嵌合されて連結される嵌合部６２ｆ等を備えている。
【００２８】
駆動機構６３は、図６ないし図９に示すように、バリア駆動源としての駆動モータ６３ａ、駆動モータ６３ａに直結されたリードスクリュー６３ｂ、リードスクリュー６３ｂに螺合されたナット６３ｃ等を備えている。
駆動モータ６３ａは、ステッピングモータあるいはＤＣモータであり、配線基板７０´に接続される端子６３ａ´を有し、カバー２０´の凹部２６内に固定されている。
ナット６３ｃは、バリア羽根６１´の連結ピン６１ｂ´が挿入される連結穴６３ｃ´を有し、凹部２６の内壁面により回転不能に保持されつつ、リードスクリュー６３ｂの伸長方向に移動自在となっている。
そして、駆動モータ６３ａが一方向に回転すると、ナット６３ｃがリードスクリュー６３ｂの付け根側に移動して、バリア羽根６１´が開口部２２ａを閉鎖する閉鎖位置に移動させられ、一方、駆動モータ６３ａが他方向に回転すると、ナット６３ｃがリードスクリュー６３ｂの先端側に移動して、バリア羽根６１´が開口部２２ａを全開する全開位置に移動させられるようになっている。
【００２９】
このように、レンズバリア機構６０´は、図６ないし図９に示すように、開口部２２ａを開閉自在にケースＣの前壁部２２に支持されたバリア羽根６１´、バリア羽根６１´の前方において開口部６２ａを画定すると共にバリア羽根６１´を覆うべくケースＣの前壁部２２に固定された羽根カバー６２´、バリア羽根６１´を開閉駆動する駆動機構６３（バリア駆動源としての駆動モータ６３ａ等）により構成され、バリア羽根６１´は、レンズ枠３０及びレンズ駆動機構４０を収容するケースＣ（ベース１０及びカバー２０´）の前壁部２２に支持されているため、従来のようなバリア羽根を支持する専用のバリアベースが不要になり、構造の簡素化、部品点数の削減、低コスト化、小型化を達成することができる。
【００３０】
配線基板７０´は、図８に示すように、側壁部２１の切り欠き部２１ｃを通してケースＣの内側及び外側に沿うように配置された屈曲自在なフレキシブル配線基板であり、駆動モータ４１の端子４１ｂ、検出センサ４８の端子４８ａ、及び駆動モータ６３ａの端子６３ａ´とそれぞれ電気的に接続されるように形成されている。
このように、レンズ駆動源としての駆動モータ４１及び検出センサ４８並びにバリア駆動源としての駆動モータ６３ａが共通の配線基板７０´に対して電気的に接続されているため、それぞれに専用の配線基板を設ける場合に比べて、構造の簡素化、部品点数の削減、小型化等を達成することができる。
【００３１】
図１０ないし図１３は、本発明に係るレンズユニットを含むカメラ装置のさらに他の実施形態を示すものであり、レンズバリア機構に含まれる駆動機構を変更した以外は、前述の図６ないし図９に示す実施形態と基本的に同一の構成であり、同一の構成については同一の符号を付して説明を省略する。
【００３２】
すなわち、この実施形態におけるカメラ装置は、ケースＣを画定するベース１０及びカバー２０´、レンズ枠３０、レンズ駆動機構４０、ガラスフィルタ５１及びＣＣＤ等の撮像素子５２、レンズＧの前方を開閉するレンズバリア機構６０´´、ケースＣの側壁部の内側及び外側に沿うように設けられた配線基板７０´´等を備えている。
この実施形態においては、ガラスフィルタ５１及び撮像素子５２を除いた他の構成部品、すなわち、ベース１０、カバー２０´、レンズ枠３０、レンズ駆動機構４０、レンズバリア機構６０´´、配線基板７０´´により、レンズユニットが構成されている。
【００３３】
レンズバリア機構６０´´は、図１０ないし図１３に示すように、ケースＣを構成するカバー２０´の前壁部２２に支持されたバリア羽根６１´、バリア羽根６１´を覆うべくケースＣを構成するカバー２０´に固定された羽根カバー６２´、バリア羽根６１´を開閉駆動する駆動機構６３´等により構成されている。
【００３４】
駆動機構６３´は、図１０ないし図１３に示すように、バリア駆動源としての電歪素子６３ｄ、電歪素子６３ｄに直結されたロッド６３ｅ、ロッド６３ｅに連結されたコマ６３ｆ等を備えている。
電歪素子６３ｄは、電圧を加えることで歪み（ここでは伸縮）を生じるピエゾ素子等であり、配線基板７０´´に接続される端子６３ｄ´を有し、カバー２０´の凹部２６内に固定されている。
ロッド６３ｅは、電歪素子６３ｄの先端に固定されている。
コマ６３ｆは、バリア羽根６１´の連結ピン６１ｂ´が挿入される連結穴６３ｆ´を有し、凹部２６の内壁面にガイドされて、電歪素子６３ｄの伸縮方向すなわちロッド６３ｅの伸長方向に移動自在となっている。
【００３５】
そして、電歪素子６３ｄが一方向に電圧を印加されて収縮すると、コマ６３ｆがロッド６３ｅと一緒に電歪素子６３ｄに近づく方向に移動して、バリア羽根６１´が開口部２２ａを閉鎖する閉鎖位置に移動させられ、一方、電歪素子６３ｄが他方向に電圧を印加されて伸長すると、コマ６３ｆがロッド６３ｅと一緒に電歪素子６３ｄから遠ざかる方向に移動して、バリア羽根６１´が開口部２２ａを全開する全開位置に移動させられるようになっている。
【００３６】
このように、レンズバリア機構６０´´は、図１０ないし図１３に示すように、開口部２２ａを開閉自在にケースＣの前壁部２２に支持されたバリア羽根６１´、バリア羽根６１´の前方において開口部６２ａを画定すると共にバリア羽根６１´を覆うべくケースＣの前壁部２２に固定された羽根カバー６２´、バリア羽根６１´を開閉駆動する駆動機構６３´（バリア駆動源としての電歪素子６３ｄ等）により構成され、バリア羽根６１´は、レンズ枠３０及びレンズ駆動機構４０を収容するケースＣ（ベース１０及びカバー２０´）の前壁部２２に支持されているため、従来のようなバリア羽根を支持する専用のバリアベースが不要になり、構造の簡素化、部品点数の削減、低コスト化、小型化を達成することができる。
【００３７】
配線基板７０´´は、図１２に示すように、側壁部２１の切り欠き部２１ｃを通してケースＣの内側及び外側に沿うように配置された屈曲自在なフレキシブル配線基板であり、駆動モータ４１の端子４１ｂ、検出センサ４８の端子４８ａ、及び電歪素子６３ｄの端子６３ｄ´とそれぞれ電気的に接続されるように形成されている。
このように、レンズ駆動源としての駆動モータ４１及び検出センサ４８並びにバリア駆動源としての電歪素子６３ｄが共通の配線基板７０´´に対して電気的に接続されているため、それぞれに専用の配線基板を設ける場合に比べて、構造の簡素化、部品点数の削減、小型化等を達成することができる。
【００３８】
上記実施形態においては、ケースＣ内に収容されるレンズ枠として一つのレンズ枠３０を示したが、２つ以上の複数のレンズ枠及びそれぞれのレンズ枠に対応する複数のレンズ駆動機構が配置されてもよい。
上記実施形態においては、レンズバリア機構として、一つのバリア羽根６１，６１´を含むレンズバリア機構６０，６０´，６０´´を示したが、これに限定されるものではなく、相互に協働して開口部２２ａを開閉する２枚以上のバリア羽根を採用してもよい。
上記実施形態においては、レンズバリア機構のバリア羽根を駆動するバリア駆動源として、駆動モータ６３ａ、電歪素子６３ｄを示したが、これに限定されるものではなく、その他の駆動源を採用してもよい。
【産業上の利用可能性】
【００３９】
以上述べたように、本発明のレンズユニットは、レンズバリア機構を備えた構成において、構造の簡素化、部品点数の削減、低コスト化、小型化等を達成できるため、携帯電話機、携帯型情報端末機等に搭載されるモバイルカメラのレンズユニットとして適用できるのは勿論のこと、通常のデジタルカメラあるいは銀塩フィルム式カメラのレンズユニットとして、あるいは、固定式のカメラ、その他のレンズ光学系のレンズユニットとしても有用である。
【図面の簡単な説明】
【００４０】
【図１】本発明に係るレンズユニットを含むカメラ装置の一実施形態を示す平面図である。
【図２】図１に示すカメラ装置において、レンズバリア機構に含まれる羽根カバーを取り外した状態におけるカメラ装置の平面図である。
【図３】図１に示すカメラ装置の内部を示す平面図である。
【図４】図１に示すカメラ装置の側断面図である。
【図５】図１に示すカメラ装置の側断面図である。
【図６】本発明に係るレンズユニットを含むカメラ装置の他の実施形態を示す平面図である。
【図７】図６に示すカメラ装置において、レンズバリア機構に含まれる羽根カバーを取り外した状態におけるカメラ装置の平面図である。
【図８】図６に示すカメラ装置の内部を示す平面図である。
【図９】図６に示すカメラ装置の側断面図である。
【図１０】本発明に係るレンズユニットを含むカメラ装置のさらに他の実施形態を示す平面図である。
【図１１】図１０に示すカメラ装置において、レンズバリア機構に含まれる羽根カバーを取り外した状態におけるカメラ装置の平面図である。
【図１２】図１０に示すカメラ装置の内部を示す平面図である。
【図１３】図１０に示すカメラ装置の側断面図である。
【符号の説明】
【００４１】
Ｂ  ネジ
Ｃ  ケース
１０  ベース（ケース）
１１  連結部
１２，１３  開口凹部
１４  固定部
１５  軸受孔
１６，１７  嵌合孔
１８  掛止片
１９  固定部
２０，２０´  カバー（ケース）
２１  側壁部
２１ａ  嵌合部
２１ｂ，２１ｃ  切り欠き部
２２  前壁部
２２ａ  開口部
２２ｂ  支軸
２２ｃ  段差部
２２ｄ  ボス部
２２ｅ  位置決めピン
２３  軸受穴
２４，２５  嵌合孔
２６  凹部
３０  レンズ枠
Ｇ  レンズ
Ｌ  光軸方向
３１  円筒部
３２  延出部
３３，３６  連結部
３４  ナット保持部
３５  掛止片
３７  被検出片
４０  レンズ駆動機構
４１  駆動モータ（レンズ駆動源）
４１ａ  回転軸
４１ｂ  端子
４２  駆動歯車
４３  リードスクリュー
４３ａ  被動歯車
４４  ナット
４５  ガイドシャフト
４６  回り止めシャフト
４７  コイルバネ
４８  検出センサ
４８ａ  端子
５１  ガラスフィルタ
５２  撮像素子
６０，６０´，６０´´  レンズバリア機構
６１，６１´  バリア羽根
６１ａ  円孔
６１ｂ  操作部
６１ｂ´  連結ピン
６２，６２´  羽根カバー
６２ａ  開口部
６２ｂ，６２ｃ  円孔
６２ｄ  嵌合孔
６２ｅ  切り欠き部
６２ｆ  嵌合部
６３，６３´  駆動機構
６３ａ  駆動モータ（バリア駆動源）
６３ａ´  端子
６３ｂ  リードスクリュー
６３ｃ  ナット
６３ｃ´  連結穴
６３ｄ  電歪素子（バリア駆動源）
６３ｄ´  端子
６３ｅ  ロッド
６３ｆ  コマ
６３ｆ´  連結穴
７０，７０´，７０´  配線基板
【図１】
2009288258.tif 000003
【図２】
2009288258.tif 000004
【図３】
2009288258.tif 000005
【図４】
2009288258.tif 000006
【図５】
2009288258.tif 000007
【図６】
2009288258.tif 000008
【図７】
2009288258.tif 000009
【図８】
2009288258.tif 000010
【図９】
2009288258.tif 000011
【図１０】
2009288258.tif 000012
【図１１】
2009288258.tif 000013
【図１２】
2009288258.tif 000014
【図１３】
2009288258.tif 000015